(57)【要約】【課題】簡素な構成にて、優れた意匠性及び高いレイアウト自由度を確保することのできる車両用操作入力装置を提供することにある。【解決手段】メンブレンスイッチ１２は、蓋部材５の第１壁部６に設けられることにより操作スイッチ１１を構成する接点部２１と、この接点部２１と一体に形成された配索部２３とを備えてなる。そして、メンブレンスイッチ１２は、その配索部２３の先端に設けられたスイッチ側コネクタ２２が、非可動部材である本体側コネクタ２６に接続される。【選択図】図６
2013147154.tif 000002
【特許請求の範囲】
【請求項１】
可動式の意匠部材に設けられることにより操作スイッチを構成する接点部と該接点部と一体に形成されて非可動部材に接続される配索部とを備えてなる膜状接点式スイッチを有する車両用操作入力装置。
【請求項２】
請求項１に記載の車両用操作入力装置において、
前記配索部は、前記意匠部材の外部に延出された外部配索領域を有するとともに、
前記外部配索領域の基端部は、前記意匠部材の可動に伴い前記非可動部材との接続端部に接近するものであって、
前記外部配索領域には、Ｕ字状に湾曲して配索される折り返し部が設定されること、
を特徴とする車両用操作入力装置。
【請求項３】
請求項１又は請求項２に記載の車両用操作入力装置において、
前記膜状接点式スイッチを含む複数の膜状回路を備えるとともに、該各膜状回路は、前記意匠部材の外部に延出された外部配索領域を有するものであって、
前記外部配索領域は、前記非可動部材に対する接続端部が厚み方向に重ねられた状態で配索されるとともに、前記意匠部材の可動により湾曲変形する部分が互いに重複しないように形成されること、を特徴とする車両用操作入力装置。
【請求項４】
可動式の意匠部材に設けられることにより操作スイッチを構成する接点部と該接点部と一体に形成されて非可動部材に接続される配索部とを備えてなる膜状接点式スイッチ。
【発明の詳細な説明】
【技術分野】
【０００１】
本発明は、車両用操作入力装置及び膜状接点式スイッチに関するものである。
【背景技術】
【０００２】
従来、車室内に設けられた意匠部材に操作スイッチを配置する構成が提案されている。例えば、特許文献１には、静電容量式の近接スイッチが設けられたフレキシブルプリント基板をコンソールボックスの蓋に内蔵する構成が開示されている。即ち、このように静電容量式の近接スイッチを用いることにより、機械式スイッチを廃して優れた意匠性を確保することができる。そして、その近接スイッチをフレキシブルプリント基板上に実装することにより、上記のように可動部材である蓋に操作スイッチを配置する等といった高いレイアウト自由度を確保することができる。
【先行技術文献】
【特許文献】
【０００３】
【特許文献１】特許第４４６９７０２号公報
【発明の概要】
【発明が解決しようとする課題】
【０００４】
しかしながら、静電容量式の近接スイッチは、その検知回路が複雑になるという問題がある。また、フレキシブルプリント基板の可撓性を活かすためには、その意匠部材の可動により生ずる長さの余剰を効率良く処理することが重要となる。ところが、上記の特許文献１には、その蓋（のヒンジ）から外部へと延出される部分の処理については特に言及されておらず、この点において、なお改善の余地を残すものとなっていた。
【０００５】
本発明は、上記問題点を解決するためになされたものであって、その目的は、簡素な構成にて、優れた意匠性及び高いレイアウト自由度を確保することのできる車両用操作入力装置及び膜状接点式スイッチを提供することにある。
【課題を解決するための手段】
【０００６】
上記問題点を解決するために、請求項１に記載の発明は、可動式の意匠部材に設けられることにより操作スイッチを構成する接点部と該接点部と一体に形成されて非可動部材に接続される配索部とを備えてなる膜状接点式スイッチを有する車両用操作入力装置であること、を要旨とする。
【０００７】
上記構成によれば、極めて薄く且つ高い可撓性を有するという膜状接点式スイッチの特徴を活かして、意匠部材の可動を妨げることなく、当該意匠部材上に操作スイッチを形成することができる。更に、膜状接点式スイッチの一部分をそのまま配線として用いるため、その接点部の近傍に配線用のコネクタを設ける、或いはフレキシブルケーブルを接続する等を行う必要がない。そして、意匠部材の可動により配索部に生ずる長さの余剰についても、その厚みの薄さ及び湾曲しやすさを活かして効率良く処理することができる。その結果、簡素な構成にて、優れた意匠性及び高いレイアウト自由度を確保することができる。
【０００８】
請求項２に記載の発明は、前記配索部は、前記意匠部材の外部に延出された外部配索領域を有するとともに、前記外部配索領域の基端部は、前記意匠部材の可動に伴い前記非可動部材との接続端部に接近するものであって、前記外部配索領域には、Ｕ字状に湾曲して配索される折り返し部が設定されること、を要旨とする。
【０００９】
即ち、基端部と接続端部との間の距離が縮まることで、外部配索領域には、長さの余剰が生ずることになる。しかしながら、上記構成によれば、このような外部配索領域に生ずる長さの余剰は、その折り返し部が凸方向に移動することにより吸収される。そして、これにより、その外部配索領域に生ずる長さの余剰を効率的に処理することができる。その結果、意匠部材の円滑な可動を担保することができる。
【００１０】
請求項３に記載の発明は、前記膜状接点式スイッチを含む複数の膜状回路を備えるとともに、該各膜状回路は、前記意匠部材の外部に延出された外部配索領域を有するものであって、前記外部配索領域は、前記非可動部材に対する接続端部が厚み方向に重ねられた状態で配索されるとともに、前記意匠部材の可動により湾曲変形する部分が互いに重複しないように形成されること、を要旨とする。
【００１１】
即ち、意匠部材の可動に伴い各外部配索領域に生ずる長さの余剰は、当該各外部配索領域が湾曲変形する際、その内側に位置する方が大きくなる。特に、各外部配索領域の基端部が、先端側の接続端部に対する最近接点を通過する場合には、これら各外部配索領域には、その最近接点を通過する前後において湾曲変形する方向（凸となる方向）が反転する部分が生ずることになる。
【００１２】
しかしながら、上記の構成によれば、このような場合においても、両者間における長さの余剰差を吸収することができる。その結果、各外部配索領域を円滑に湾曲させることが可能となることで、より効率的に、外部配索領域に生ずる長さの余剰を処理することができる。
【００１３】
請求項４に記載の発明は、可動式の意匠部材に設けられることにより操作スイッチを構成する接点部と該接点部と一体に形成されて非可動部材に接続される配索部とを備えてなる膜状接点式スイッチであること、を要旨とする。
【発明の効果】
【００１４】
本発明によれば、簡素な構成にて、優れた意匠性及び高いレイアウト自由度を確保することのできる車両用操作入力装置及び膜状接点式スイッチを提供することができる。
【図面の簡単な説明】
【００１５】
【図１】シート及びセンターコンソールの上面図。
【図２】（ａ）（ｂ）ドリンクホルダの概略構成を示す模式図。
【図３】（ａ）〜（ｃ）ドリンクホルダの動作説明図。
【図４】メンブレンスイッチの概略構成を示す断面図。
【図５】メンブレンスイッチの平面図。
【図６】ドリンクホルダに設けられたメンブレンスイッチを模式的に示す説明図。
【図７】メンブレンスイッチの動作説明図。
【図８】外部配索領域の平面図。
【発明を実施するための形態】
【００１６】
以下、本発明を具体化した一実施形態を図面に従って説明する。
図１に示すように、車室内に設けられたシート１の側方（同図中、右側）には、センターコンソール２が配置されている。そして、このセンターコンソール２には、ドリンクホルダ３が設けられている。
【００１７】
図２（ａ）（ｂ）に示すように、ドリンクホルダ３は、センターコンソール２に凹設されたドリンク収容部４と、略Ｌ字型の断面形状を有してドリンク収容部４を開閉可能に設けられた蓋部材５とを備えている。
【００１８】
図２（ａ）に示すように、蓋部材５は、その閉状態においてドリンク収容部４の上方（同図中、上側）を閉塞する第１壁部６と、同じく閉状態においてドリンク収容部４のシート１側の側壁を構成する第２壁部７とからなる。そして、本実施形態では、このように蓋部材５が閉状態にある場合において、第１壁部６は、センターコンソール２の上面２ａと略面一に配置され、第２壁部７は、センターコンソール２の側面２ｂと略面一に配置されている。
【００１９】
また、蓋部材５は、その略Ｌ字型に配置された第１壁部６及び第２壁部７の内側、即ち同蓋部材５により閉塞されるドリンク収容部４に対応した位置に回動中心Ｌを有して回動自在に支承されている。そして、本実施形態のドリンクホルダ３は、その第１壁部６をシート１側に傾倒させる態様で蓋部材５を回動（同図中、反時計回り方向に回動）させることにより、当該蓋部材５を図２（ｂ）に示されるような開状態とすることが可能となっている。
【００２０】
即ち、本実施形態では、蓋部材５が開状態にある場合には、その第１壁部６がシート１側の側壁を構成する。そして、第２壁部７の内面がドリンク容器Ｄの載置面を構成するようになっている。
【００２１】
尚、図３（ａ）〜（ｂ）に示すように、本実施形態のドリンクホルダ３には、バネ８の弾性力に基づき予め設定された二位置で蓋部材５を保持することが可能な周知のターンオーバー機構９が設けられている。即ち、蓋部材５は、図３（ａ）に示されるような閉状態、又は図３（ｃ）に示されるような開状態で保持される。そして、図３（ｂ）に示されるような半開き状態にある場合には、開閉何れかの状態に対応する位置まで回動するようになっている。
【００２２】
また、図１に示すように、本実施形態のシート１は、図示しないモータを駆動源として、そのシート位置を調整可能な所謂パワーシート１０として構成されている。そして、上記蓋部材５には、このパワーシート１０を動作させる際に用いる操作スイッチ１１が設けられている。
【００２３】
詳述すると、本実施形態の操作スイッチ１１は、図４に示されるような膜状接点式スイッチとしてのメンブレンスイッチ１２により構成されている。即ち、メンブレンスイッチ１２は、スペーサ１３となる絶縁物を介して二枚の接点シート１４，１５を積層し（貼り合わせ）、これらの各接点シート１４，１５に設けられた接点１６，１７を対向配置させることにより形成される。尚、各接点シート１４，１５は、導電インクを用いて樹脂フィルムに回路パターンを印刷することにより形成される（膜状回路）。そして、メンブレンスイッチ１２は、これらの各接点シート１４，１５が弾性変形し、その対向する接点１６，１７が接触することにより「ＯＮ」となる。
【００２４】
図５に示すように、本実施形態のメンブレンスイッチ１２は、上記各接点１６，１７が設けられた接点部２１と、同接点部２１よりも幅狭の略帯状に形成されるとともにその一端にスイッチ側コネクタ２２が設けられた配索部２３とを備えてなる。尚、この配索部２３もまた、同一の接点シート１４，１５を用いて接点部２１と一体に形成される。
【００２５】
図６に示すように、メンブレンスイッチ１２は、その接点部２１が第１壁部６の表面６ａに配置されるようにして上記蓋部材５に設けられる。そして、操作スイッチ１１は、その接点部２１を意匠材２５で被覆することにより形成される。
【００２６】
具体的には、メンブレンスイッチ１２の配索部２３は、蓋部材５の内部に配索されて第２壁部７の先端７ａから蓋部材５の外部に延出されている。また、メンブレンスイッチ１２は、その配索部２３の先端に設けられたスイッチ側コネクタ２２が、非可動部位（本実施形態ではセンターコンソール２）に設けられた本体側コネクタ２６に接続されることにより、パワーシート１０の本体、詳しくはその図示しない制御装置に対して電気的に接続されている。そして、本実施形態では、これによりパワーシート１０の操作入力装置が形成されるようになっている。
【００２７】
詳述すると、本体側コネクタ２６は、蓋部材５の下方（同図中、下側）において、当該蓋部材５の回動中心Ｌよりもシート１側（同図中、左側）に設けられている。そして、蓋部材５が回動する際には、その第２壁部７の先端７ａが、蓋部材５の回動中心Ｌと本体側コネクタ２６とを結ぶ線Ｎ（これらを含む平面）を超えて移動するようになっている。
【００２８】
ここで、メンブレンスイッチ１２の配索部２３のうち、その蓋部材５の外部に配索された外部配索領域αには、略Ｕ字に湾曲して配索された折り返し部α０が設定されている。尚、本実施形態では、この折り返し部α０は、蓋部材５から離間する方向、蓋部材５の下方に向かって凸となるように形成されている。
【００２９】
即ち、図７に示すように、蓋部材５の回動に伴い、外部配索領域αの基端部α１（第２壁部７の先端７ａ）は、その非可動部材である本体側コネクタ２６に対して接続された接続端部α２に接近する。尚、これは、蓋部材５が閉状態から開状態に移行する際（同図中、反時計回り方向に回動する際）のみならず、開状態から状態状態に移行する際（同図中、時計回り方向に回動する際）も同様である。そして、これにより、その基端部α１と接続端部α２との間の距離が縮まることで、外部配索領域αには、長さの余剰が生ずることになる。
【００３０】
しかしながら、上記のような折り返し部α０を設定することで、このような蓋部材５の回動に伴い外部配索領域αに生ずる長さの余剰は、その折り返し部α０が凸方向に移動することにより吸収される（図７参照、下側、破線に示す部分）。そして、本実施形態では、これにより、その蓋部材５の回動により外部配索領域αに生ずる長さの余剰を効率的に処理することが可能となっている。
【００３１】
また、蓋部材５には、このメンブレンスイッチ１２を含む複数の膜状回路が配設されている。具体的には、蓋部材５には、操作スイッチ１１を構成する上記意匠材２５を発光させるためのＬＥＤ回路が設けられている。そして、このＬＥＤ回路は、メンブレンスイッチ１２と同様、蓋部材５の外部に延出される外部配索領域を備えて構成されている。
【００３２】
図８に示すように、本実施形態では、メンブレンスイッチ１２の外部配索領域α及びＬＥＤ回路３１の外部配索領域βは、その各接続端部α２，β２が厚み方向（同図中、紙面に直交する方向）に重ねられた状態で配索される。尚、ＬＥＤ回路３１の外部配索領域βの一端にも、メンブレンスイッチ１２のスイッチ側コネクタ２２と同様のコネクタが設けられている（図示略）。そして、これらメンブレンスイッチ１２及びＬＥＤ回路３１は、共通の本体側コネクタ２６に接続されるようになっている。
【００３３】
また、本実施形態では、これらの各外部配索領域α，βは、その蓋部材５の回動により湾曲変形する部分が互いに重複しないように形成されている。具体的には、各基端部α１，β１及び各接続端部α２，β２を除く部分が「蓋部材５の回動により湾曲変形する部分」として設定されている。また、各外部配索領域α，βは、その基端部α１，β１及び接続端部α２，β２の幅（同図中、上下方向の長さ）が略等しくなるように形成される一方、これら基端部α１，β１及び接続端部α２，β２を除く部分（幅狭部α３，β３）の幅が相対的に狭くなるように形成されている。そして、メンブレンスイッチ１２及びＬＥＤ回路３１は、その幅狭部α３，β３が互い違いとなるように、両者の外部配索領域α，βにおける基端部α１，β１及び接続端部α２，β２を厚み方向に重ねた状態で配索されている。
【００３４】
以上、本実施形態によれば、以下のような効果を得ることができる。
（１）メンブレンスイッチ１２は、蓋部材５の第１壁部６に設けられることにより操作スイッチ１１を構成する接点部２１と、この接点部２１と一体に形成された配索部２３とを備えてなる。そして、メンブレンスイッチ１２は、その配索部２３の先端に設けられたスイッチ側コネクタ２２が、非可動部材である本体側コネクタ２６に接続される。
【００３５】
上記構成によれば、極めて薄く且つ高い可撓性を有するというメンブレンスイッチ１２の特徴を活かして、蓋部材５の回動を妨げることなく、当該蓋部材５上に操作スイッチ１１を形成することができる。更に、メンブレンスイッチ１２の一部分をそのまま配線として用いるため、その接点部２１の近傍に配線用のコネクタを設ける、或いはフレキシブルケーブルを接続する等を行う必要がない。そして、蓋部材５の回動に伴い配索部２３の外部配索領域αに生ずる長さの余剰についても、その厚みの薄さ及び湾曲しやすさを活かして効率良く処理することができる。その結果、簡素な構成にて、優れた意匠性及び高いレイアウト自由度を確保することができる。
【００３６】
（２）外部配索領域αの基端部α１は、蓋部材５の回動により、その非可動部材である本体側コネクタ２６との接続端部α２に接近する。そして、外部配索領域αには、略Ｕ字に湾曲して配索された折り返し部α０が設定される。
【００３７】
即ち、基端部α１と接続端部α２との間の距離が縮まることによって、外部配索領域αには、長さの余剰が生ずることになる。しかしながら、上記構成によれば、このような外部配索領域αに生ずる長さの余剰は、その折り返し部α０が凸方向に移動することにより吸収される。そして、これにより、その外部配索領域αに生ずる長さの余剰を効率的に処理することで、より円滑に蓋部材５を回動させることができる。
【００３８】
（３）折り返し部α０は、蓋部材５から離間する方向に向かって凸となるように形成される。このような構成とすれば、蓋部材５の回動により凸方向に移動する折り返し部α０が、蓋部材５とともに回動する基端部α１に干渉することを防止することができる。その結果、より効率的に、外部配索領域αに生ずる長さの余剰を処理することができる。
【００３９】
（４）メンブレンスイッチ１２の外部配索領域αは、その接続端部α２が、ＬＥＤ回路３１の外部配索領域βにおける接続端部β２と厚み方向に重ねられた状態で配索される。そして、これらの各外部配索領域α，βは、その蓋部材５の回動により湾曲変形する部分が互いに重複しないように形成される。
【００４０】
即ち、蓋部材５の回動に伴い各外部配索領域α，βに生ずる長さの余剰は、当該各外部配索領域α，βが湾曲変形する際、その内側に位置する方が大きくなる。特に、各外部配索領域α，βの基端部α１，β１が、蓋部材５の回動に伴い蓋部材５の回動中心Ｌと本体側コネクタ２６とを結ぶ線Ｎを超えて移動することで、これら各外部配索領域α，βの基端部α１，β１は、先端側の接続端部α２，β２に対する最近接点Ｐ（図６参照）を通過することになる。そして、これにより、各外部配索領域α，βには、その最近接点Ｐを通過する前後において湾曲変形する方向（凸となる方向）が反転する部分が生ずることになる。
【００４１】
しかしながら、上記の構成によれば、このような場合においても、その長さの余剰差を吸収することができる。その結果、各外部配索領域α，βを円滑に湾曲させることが可能になることで、より効率的に、外部配索領域αに生ずる長さの余剰を処理することができる。
【００４２】
（５）蓋部材５は、その閉状態においてドリンク収容部４の上方を閉塞する第１壁部６と、同じく閉状態においてドリンク収容部４のシート１側の側壁を構成する第２壁部７とからなる。また、蓋部材５は、その略Ｌ字型に配置された第１壁部６及び第２壁部７の内側に回動中心Ｌを有して回動自在に支承されており、ドリンクホルダ３は、その第１壁部６をシート１側に傾倒させる態様で蓋部材５を回動させることにより、当該蓋部材５を開状態とすることが可能となっている。そして、メンブレンスイッチ１２は、その操作スイッチ１１を構成する接点部２１が第１壁部６の表面６ａに配置されるようにして上記蓋部材５に設けられる。
【００４３】
上記構成によれば、蓋部材５が開状態にある場合には、その操作スイッチ１１が、シート１側に面する。その結果、ドリンクホルダ３の使用時においても、シート１に着座する乗員が操作スイッチ１１を操作することができるようになる。
【００４４】
（６）ドリンクホルダ３には、バネ８の弾性力に基づき予め設定された二位置で蓋部材５を保持することが可能な周知のターンオーバー機構９が設けられる。そして、このターンオーバー機構９の機能により、蓋部材５は、開状態又は閉状態の何れかで保持される。
【００４５】
上記構成によれば、その操作スイッチ１１に対する操作入力時の押圧荷重によって蓋部材５が回動することを抑制することができる。その結果、その操作入力が容易になるとともに、併せて、その質感の向上を図ることができる。
【００４６】
なお、上記実施形態は以下のように変更してもよい。
・上記実施形態では、本発明をパワーシート１０の操作入力装置に具体化した。しかし、これに限らず、パワーシート１０を操作する以外の操作入力に用いられるその他の操作入力装置に適用してもよい。
【００４７】
・上記実施形態では、ドリンクホルダ３の蓋部材５にメンブレンスイッチ１２を設けることにより、その蓋部材５上に操作スイッチ１１を形成することとした。しかし、これに限らず、例えば、コンソールボックスの蓋部材やグローブボックス等、その他の「可動式の意匠部材」にメンブレンスイッチ１２を設ける構成であってもよい。そして、その可動式の意匠部材については、例えば、スライド式等、必ずしも回動式でなくともよい。
【００４８】
・上記実施形態では、蓋部材５には、操作スイッチ１１を構成する上記意匠材２５を発光させるためのＬＥＤ回路３１が設けられる。そして、メンブレンスイッチ１２の外部配索領域αは、その接続端部α２が、ＬＥＤ回路３１の外部配索領域βにおける接続端部β２と厚み方向に重ねられた状態で配索されることとした。しかし、メンブレンスイッチ１２の外部配索領域αに重ねられた状態で配索される膜状回路の外部配索領域は、ＬＥＤ回路３１のものに限らず、その他の膜状回路のものであってもよい。また、その重ねて配索される外部配索領域の数についても特に限定されるものではない。そして、これらの各外部配索が重複しないようにするための形状についてもまた、どのようなものであってもよい。
【００４９】
・上記実施形態では、折り返し部α０は、蓋部材５から離間する方向に向かって凸となるように形成されることとしたが、その凸となる方向については、必ずしもこれに限るものではない。ただし、外部配索領域αに生ずる長さの余剰を効率的に処理するという観点から、蓋部材５とともに回動する基端部α１、及び非可動部材である本体側コネクタ２６との接続端部β２に干渉しないようにすることが望ましいことはいうまでもない。
【００５０】
次に、以上の実施形態から把握することのできる技術的思想を効果とともに記載する。
（イ）請求項１〜請求項３の何れか一項に記載の車両用操作入力装置を備えたシート装置。これにより、意匠性及び操作性に優れたシート装置を提供することができる。
【００５１】
（ロ）前記外部配索領域は、前記意匠部材から離間する方向に凸となるように配索されること、を要旨とする。このような構成とすれば、その意匠部材の可動により凸方向に移動する折り返し部が、意匠部材とともに可動する基端部に干渉することを防止することができる。その結果、より効率的に、意匠部材の可動により外部配索領域に生ずる長さの余剰を処理することができる。
【符号の説明】
【００５２】
１…シート、２…センターコンソール、３…ドリンクホルダ、５…蓋部材（意匠部材）、６…第１壁部、６ａ…表面、７…第２壁部、７ａ…先端、１１…操作スイッチ、１２…メンブレンスイッチ（膜状接点式スイッチ）、２１…接点部、２２…スイッチ側コネクタ、２３…配索部、２５…意匠材、２６…本体側コネクタ（非可動部材）、３１…ＬＥＤ回路、Ｌ…回動中心、Ｐ…最近接点、α，β…外部配索領域、α０…折り返し部、α１，β１…基端部、α２，β２…接続端部、α３，β３…幅狭部。
【図１】
2013147154.tif 000003
【図２】
2013147154.tif 000004
【図３】
2013147154.tif 000005
【図４】
2013147154.tif 000006
【図５】
2013147154.tif 000007
【図６】
2013147154.tif 000008
【図７】
2013147154.tif 000009
【図８】
2013147154.tif 000010